(57)【特許請求の範囲】
【請求項１】
マイコンからの制御信号に基づいてＩＧＢＴをスイッチングさせてＩＨコイルに高周波電流を供給することにより内鍋を誘導加熱するようにした誘導加熱式炊飯器において、
前記ＩＧＢＴを駆動させるためのＩＧＢＴ駆動回路と、
該ＩＧＢＴ駆動回路を介して前記ＩＧＢＴをオン・オフするタイミングを制御するＩＨ制御回路と、
前記ＩＨコイルへの非通電時、前記ＩＧＢＴ駆動回路及び前記ＩＨ制御回路のうち、少なくともＩＨ制御回路での待機電力を低減又は遮断させる電圧制御回路とを備え、
前記電圧制御回路は、前記ＩＧＢＴを駆動させる際、前記ＩＧＢＴ駆動回路又は前記ＩＨ制御回路への通電後、所定時間経過するまでＩＧＢＴの駆動を待機させることを特徴とする誘導加熱式炊飯器。
【請求項２】
マイコンからの制御信号に基づいてＩＧＢＴをスイッチングさせてＩＨコイルに高周波電流を供給することにより内鍋を誘導加熱するようにした誘導加熱式炊飯器において、
前記ＩＧＢＴを駆動させるためのＩＧＢＴ駆動回路と、
該ＩＧＢＴ駆動回路を介して前記ＩＧＢＴをオン・オフするタイミングを制御するＩＨ制御回路と、
前記ＩＨコイルへの非通電時、前記ＩＧＢＴ駆動回路及び前記ＩＨ制御回路のうち、少なくともＩＨ制御回路での待機電力を低減又は遮断させる電圧制御回路と、
冷却用ファン及び該冷却用ファンを回転駆動するファン駆動回路とを備え、
前記電圧制御回路は、前記ＩＧＢＴ駆動回路、前記ＩＨ制御回路、及び前記ファン駆動回路のうち、少なくとも２つの駆動時期を所定時間ずらせるようにすることを特徴とする誘導加熱式炊飯器。
【請求項３】
前記電圧制御回路は、前記ＩＧＢＴ駆動回路又は前記ＩＨ制御回路の待機電圧を低減又は遮断している場合であっても、前記内鍋の有無を検出する必要が生じた場合には、前記ＩＧＢＴ駆動回路又は前記ＩＨ制御回路に待機電圧を印加させることを特徴とする請求項１又は２に記載の誘導加熱式炊飯器。
【請求項４】
前記電圧制御回路は、炊飯モード及び保温モードであれば、前記ＩＧＢＴ駆動回路又は前記ＩＨ制御回路に待機電圧を印加させることを特徴とする請求項１又は２に記載の誘導加熱式炊飯器。
【請求項５】
前記電圧制御回路は、取消モード及び予約モードであれば、前記ＩＧＢＴ駆動回路又は前記ＩＨ制御回路への待機電圧を遮断し、前記内鍋の有無を検出する必要が生じた場合にのみ待機電圧を印加させることを特徴とする請求項１、２又は４に記載の誘導加熱式炊飯器。
【請求項６】
前記ＩＨ制御回路への印加電圧を検出する電圧検出回路を備え、
前記電圧制御回路は、前記電圧検出回路での検出電圧が設定電圧を超えている場合にのみ、前記ＩＧＢＴを駆動可能とすることを特徴とする請求項１乃至５のいずれか１項に記載の誘導加熱式炊飯器。
【発明の詳細な説明】
【０００１】
【発明の属する技術分野】
本発明は、誘導加熱式炊飯器、特に、待機電力を低減することのできる誘導加熱式炊飯器に関するものである。
【０００２】
【従来の技術】
従来、誘導加熱式炊飯器として、実際に炊飯を行っていない場合の待機電力を低減するようにした構成のものが種々提案されている。
【０００３】
切状態中やタイマー動作中に、非絶縁降圧型スイッチング電源回路の発振を発振停止手段により一時的に停止するようにしたＩＨ保温釜が公知である（特開平１１−３３２７３３号公報参照）。
【０００４】
また、炊飯器に通電の必要のない時は、通電切換手段により商用電源と炊飯器を切り離すようにしたものが公知である（特開平１１−３１８７００号公報参照）。
【０００５】
また、全ての負荷部品が非動作中であれば、電源制御回路により電源回路からの電力の供給を停止するようにした炊飯器が公知である（特開２０００−２８７８３７号公報参照）。
【０００６】
【発明が解決しようとする課題】
しかしながら、前記いずれの構成であっても、全ての電力供給を停止するようにしている。このため、マイコンの動作が不安定になるという問題がある。
【０００７】
そこで、本発明は、マイコン制御を不安定とすることなく、待機電力を低減することのできる誘導加熱式炊飯器を提供することを課題とする。
【０００８】
【課題を解決するための手段】
本発明は、前記課題を解決するための手段として、マイコンからの制御信号に基づいてＩＧＢＴをスイッチングさせてＩＨコイルに高周波電流を供給することにより内鍋を誘導加熱するようにした誘導加熱式炊飯器において、
前記ＩＧＢＴを駆動させるためのＩＧＢＴ駆動回路と、
該ＩＧＢＴ駆動回路を介して前記ＩＧＢＴをオン・オフするタイミングを制御するＩＨ制御回路と、
前記ＩＨコイルへの非通電時、前記ＩＧＢＴ駆動回路及び前記ＩＨ制御回路のうち、少なくともＩＨ制御回路での待機電力を低減又は遮断させる電圧制御回路とを備え、
前記電圧制御回路は、前記ＩＧＢＴを駆動させる際、前記ＩＧＢＴ駆動回路又は前記ＩＨ制御回路への通電後、所定時間経過するまでＩＧＢＴの駆動を待機させるようにしたものである。
この構成により、待機電力を低減させる対象を、ＩＧＢＴ駆動回路とＩＨ制御回路に限定することで、マイコンの動作が不安定になることを防止し、ノイズ除去用のコンデンサへの充電を完了して安定した電圧を得ることができる。
【０００９】
また、本発明は、前記課題を解決するための手段として、  マイコンからの制御信号に基づいてＩＧＢＴをスイッチングさせてＩＨコイルに高周波電流を供給することにより内鍋を誘導加熱するようにした誘導加熱式炊飯器において、
前記ＩＧＢＴを駆動させるためのＩＧＢＴ駆動回路と、
該ＩＧＢＴ駆動回路を介して前記ＩＧＢＴをオン・オフするタイミングを制御するＩＨ制御回路と、
前記ＩＨコイルへの非通電時、前記ＩＧＢＴ駆動回路及び前記ＩＨ制御回路のうち、少なくともＩＨ制御回路での待機電力を低減又は遮断させる電圧制御回路と、
冷却用ファン及び該冷却用ファンを回転駆動するファン駆動回路とを備え、
前記電圧制御回路は、前記ＩＧＢＴ駆動回路、前記ＩＨ制御回路、及び前記ファン駆動回路のうち、少なくとも２つの駆動時期を所定時間ずらせるようにしたものである。
この構成により、電源回路での通電量を抑えて小型で安価なものとすることが可能となる。
【００１０】
前記電圧制御回路により、前記ＩＧＢＴ駆動回路又は前記ＩＨ制御回路の待機電圧を低減又は遮断している場合であっても、前記内鍋の有無を検出する必要が生じた場合には、前記ＩＧＢＴ駆動回路又は前記ＩＨ制御回路に待機電圧を印加させるのが好ましい。
【００１１】
また、前記電圧制御回路は、炊飯モード及び保温モードであれば、前記ＩＧＢＴ駆動回路又は前記ＩＨ制御回路に待機電圧を印加させるようにしてもよい。
【００１２】
さらに、前記電圧制御回路は、取消モード及び予約モードであれば、前記ＩＧＢＴ駆動回路又は前記ＩＨ制御回路への印加電圧を遮断し、前記内鍋の有無を検出する必要が生じた場合にのみ待機電圧を印加させるようにしてもよい。
【００１４】
また、前記ＩＨ制御回路への印加電圧を検出する電圧検出回路を備え、
前記電圧制御回路により、前記電圧検出回路での検出電圧が設定電圧を超えている場合にのみ、前記ＩＧＢＴを駆動可能としてもよい。
【００１６】
【発明の実施の形態】
以下、本発明に係る実施形態を添付図面に従って説明する。
【００１７】
図１は、本実施形態に係る誘導加熱式炊飯器の誘導加熱コイル（ＩＨコイル）３への通電制御を行うための回路構成を示す。
【００１８】
本回路では、交流電源１からの電力がインバータ電源回路２を介してＩＨコイル３に供給され、整流回路４を介して制御回路５に供給される。
【００１９】
ＩＨコイル３には、絶縁ゲート型バイポーラトランジスタ（ＩＧＢＴ）６をＩＧＢＴ駆動回路７によってスイッチングさせることより高周波電流が供給され、内鍋１４が誘導加熱される。
【００２０】
制御回路５は、マイクロコンピュータ（マイコン）８、第１電圧制御回路９、第２電圧制御回路１０、ＩＨ制御回路１１、及びファン駆動回路１２を備える。マイコンには、整流回路４から所定電圧ＶＤＤが印加され、第１電圧制御回路９、第２電圧制御回路１０、及びＩＨ制御回路１１に制御信号を出力する。第１電圧制御回路９は、整流回路４からコンデンサＣ１によってノイズを除去された所定電圧ＶＤＤを印加され、マイコン８からの制御信号に基づいて、前記ＩＧＢＴ駆動回路７に所定電圧ＶＥＥを印加し、又は、通電を遮断する。第２電圧制御回路１０は、整流回路４から所定電圧ＶＤＤを印加され、マイコン８からの制御信号に基づいて、前記ＩＨ制御回路１１に所定電圧ＶＣＣを印加し、又は、通電を遮断する。第２電圧制御回路１０からＩＨ制御回路１１への出力電圧ＶＣＣは、コンデンサＣ２によってノイズを除去されて電圧検出回路１３によって電圧値を検出され、検出された電圧値はマイコン８に入力される。ＩＨ制御回路１１は、マイコン８からの制御信号に基づいて前記ＩＧＢＴ駆動回路７を介してＩＧＢＴ６をスイッチングさせるタイミングを調整する。ファン駆動回路１２は、図示しないファンを駆動することによりＩＧＢＴ６を冷却する際に利用する。
【００２１】
次に、前記構成の回路に於ける動作説明を行う。
【００２２】
交流電源１に接続しただけの状態では、ＩＨコイル３への通電は開始されず、取消モードを維持する。また、予約炊飯スイッチを操作し、炊飯開始時期を設定する場合、炊飯開示時期に至るまでの予約モードでも、ＩＨコイル３への通電は開始されない。このため、ＩＧＢＴ駆動回路７及びＩＨ制御回路１１への待機電圧は不要である。そこで、これらへの通電を遮断しておく。これにより、無駄な電力消費を抑制することができる。但し、マイコン８での待機電圧を維持させることにより動作が不安定になることを防止する。また、予約モード中に停電等でマイコン８での待機電圧が消失した場合には、復帰時、一旦、前記ＩＧＢＴ駆動回路７及びＩＨ制御回路１１に待機電圧を印加し、ＩＨコイル３に通電させる。そして、図示しない温度センサで検出される内鍋１４の温度変化に基づいて内鍋１４の有無を検出させる。
【００２３】
炊飯開始時期になれば、マイコン８からの制御信号によりＩＨコイル３への通電を開始して炊飯モードに移行する。この場合、ＩＨコイル３への通電に先立ってＩＧＢＴ駆動回路７及びＩＨ制御回路１１に待機電圧を印加する。そして、電圧検出回路１３で検出される電圧が所定電圧に到達するまで、ＩＨコイル３への通電を遅延させる。これにより、ノイズ除去用に設けたコンデンサＣ２への充電を完了させることができ、第２電圧制御回路１０からＩＨ制御回路１１への出力電圧ＶＣＣを所定電圧に上昇させることが可能となる。また、ファン駆動回路１２に電圧を印加してファンを回転駆動することによりＩＧＢＴ６を冷却する。このように、ＩＨ制御回路１１、ＩＨコイル３、次いでファン駆動回路１２に時間をずらせて通電すれば、電源回路の負担を抑えて安価な構成のものを使用することができる。なお、電圧を印加するタイミングは、前記順序に限らず、ファン駆動回路１２、ＩＨ制御回路１１、ＩＨコイル３の順でもよいし、ＩＨ制御回路１１、ファン駆動回路１２、ＩＨコイル３の順、等でもよい。
【００２４】
以上のようにして炊飯が行われ、ご飯が炊き上がれば、保温モードに移行する。保温モードでも、前記炊飯モードと同様に、ＩＧＢＴ駆動回路７及びＩＨ制御回路１１に待機電圧を印加しておき、適宜、ＩＨコイル３等に通電を行うことにより、ご飯を一定温度に温調する。
【００２５】
なお、前記実施形態では、取消モード及び予約モードでのＩＧＢＴ駆動回路７及びＩＨ制御回路１１への待機電圧を遮断するようにしたが、低減することにより対処するようにしても構わない。例えば、印加電圧ＶＥＥを５Ｖから１Ｖに低減させるようにしてもよい。
【００２６】
また、前記実施形態では、ＩＧＢＴ駆動回路７及びＩＨ制御回路１１への待機電圧を遮断又は低減するようにしたが、ＩＨ制御回路１１への待機電圧のみを遮断又は低減するようにしてもよい。
【００２７】
【発明の効果】
以上の説明から明らかなように、本発明によれば、コイルへの非通電時、ＩＧＢＴ駆動回路及びＩＨ制御回路での待機電力のみを低減させるようにしたので、マイコンの動作を不安定とすることなく、待機電力を低減させることができる。
【図面の簡単な説明】
【図１】本実施形態に係るＩＨコイルへの通電制御を行うための回路図である。
【符号の説明】
３…ＩＨコイル
４…整流回路
５…制御回路
６…ＩＧＢＴ
７…ＩＧＢＴ駆動回路
８…マイコン
９…第１電圧制御回路
１０…第２電圧制御回路
１１…ＩＨ制御回路
１２…ファン駆動回路
１３…電圧検出回路
【図１】
0003631703.tif 000002